(57)【特許請求の範囲】
【請求項１】
既製杭の肉厚内で、少なくとも上部に、該既製杭に有害なひび割れ又は破壊が生じた際に該有害なひび割れ又は破壊に対応して断線するような強度で形成してなる光ファイバーを埋設すると共に、該光ファイバーの一端又は他端を上方に突出させ、
前記既製杭は、上下に端板を設けた複数の単位既製杭を接合して構成し、前記単位既製杭の内、上側に位置する単位既製杭は、長さ方向に埋設した光ファイバーの下端部に第１コネクターを取り付け、該第１コネクターを前記下端板の挿通孔に取付けして前記光ファイバーを埋設してなり、
下側に位置する単位既製杭は、長さ方向に埋設した光ファイバーの上端部に第２コネクターを取り付け、該第２コネクターを前記上端板の挿通孔に取付けして前記光ファイバーを埋設してなり、
前記上側の単位既製杭と前記下側の単位既製杭とを前記端板で上下に接合して既製杭を構成すると共に、上側の単位既製杭の光ファイバーと下側の単位既製杭の光ファイバーとを、前記端板の挿通孔を介して前記第１コネクターと第２コネクターとを、前記端板の肉厚内で連結したことを特徴とする光ファイバーを埋設した既製杭。
【請求項２】
光ファイバーは、一端及び他端を既製杭の上端から突出させ、前記既製杭の底付近の折り返し部を形成して略Ｕ字状に配置し、中間部の両直線部を既製杭の長さ方向に配置し、前記光ファイバーの直線部の一方に剛性管を被せたことを特徴とする請求項１記載の光ファイバーを埋設した既製杭。
【請求項３】
ＰＣ鋼棒を係止する小孔と大孔とからなるひょうたん状の貫通孔を有する端板を使用し、前記大孔を挿通孔として光ファイバーのコネクターを取り付けたことを特徴とする請求項１記載の光ファイバーを埋設した既製杭。
【請求項４】
既製杭のひび割れ又は破壊状況に対応して、光ファイバーが断線するような強度で、前記光ファイバーの外周面を被覆したことを特徴とする請求項１記載の光ファイバーを埋設した既製杭。
【発明の詳細な説明】
【０００１】
【発明の属する技術分野】
この発明は、建築物構築後に、非破壊で、杭に生じたひび割れの有無等を測定し、杭の健全性を判定する杭の健全性評価方法及びこの判定方法に使用する光ファイバーを埋設した既製杭に関する。
【０００２】
【従来の技術】
建造物構築後における地震等の災害があった際に、その建造物の基礎構造の損傷を検査することが求められている。従来、第１の方法によれば、検査対象である基礎杭が露出するまで地盤を掘削して、目視により検査する方法があった。また、第２の方法によれば、地上から地盤を若干掘削して、基礎杭の一部を露出させ、基礎杭にハンマー等による衝撃を与えて、弾性波を検知して波形により損傷を検査する方法があった。
【０００３】
【発明が解決しようとする課題】
前記従来の技術では、目視により検査する方法では、掘削のための大規模な時間、労力、費用を要し、また現状復帰の作業が煩雑となるなど問題点があった。
また、ハンマー等による衝撃を与えて、弾性波を検知する方法ではノイズ処理等難しい場合には信頼性に欠ける問題点があった。取り分け、いずれの方法によっても数十メートルの深さの基礎杭の場合には、事実上適用が困難であった。
【０００４】
また、このような問題点を解決する為に、地盤中に打設された基礎杭の健全性を調査するため、杭に光ファイバーを取付けた発明も提案されている（特開平９−９１５３３号「基礎杭」）。
【０００５】
この公報に記載の発明の方法によれば、基礎杭に光ファイバーを埋め込んで、該基礎杭の上端部から光ファイバーを引き出し、基礎杭の健全性を調査する構成となっている。この方法であると、建築物が建つ前の基礎杭の評価しかできない。そもそも、基礎杭を用いた建築物は簡単にいえば、基礎杭上にフーチングを造成し、柱を立て、上部構造物を構築するものである。そのため、仮にこの方法を用いて基礎杭の健全性を調査した場合、上部構造物をジャッキ等で支えてフーチングを破壊し、基礎杭頭部を露出した上で測定しなければならない。さらに、基礎杭が健全であった場合、再びフーチングを造成しなければならず、膨大な費用と手間がかかる。
【０００６】
また、連結杭における光ファイバーの接続方法をみると、杭端面板を避けて、杭内面側に突出するように接続している。この場合、杭端面板付近でひび割れ等が発生したとき、該ひび割れ位置を測定することができず、また接続部分で光ファイバーが弛んだ状態となっているため、ひび割れ位置や範囲の特定が困難である。
【０００７】
【課題を解決するための手段】
然るにこの発明では、杭に埋設した光ファイバーの一端又は両端を地上に露出させて測定口を形成したので、前記問題点を解決した。
【００１０】
即ち、この発明は、既製杭の肉厚内で、少なくとも上部に、該既製杭に有害なひび割れ又は破壊が生じた際に該有害なひび割れ又は破壊に対応して断線するような強度で形成してなる光ファイバーを埋設すると共に、該光ファイバーの一端又は他端を上方に突出させ、前記既製杭は、上下に端板を設けた複数の単位既製杭を接合して構成し、前記単位既製杭の内、上側に位置する単位既製杭は、長さ方向に埋設した光ファイバーの下端部に第１コネクターを取り付け、該第１コネクターを前記下端板の挿通孔に取付けして前記光ファイバーを埋設してなり、
下側に位置する単位既製杭は、長さ方向に埋設した光ファイバーの上端部に第２コネクターを取り付け、該第２コネクターを前記上端板の挿通孔に取付けして前記光ファイバーを埋設してなり、前記上側の単位既製杭と前記下側の単位既製杭とを前記端板で上下に接合して既製杭を構成すると共に、上側の単位既製杭の光ファイバーと下側の単位既製杭の光ファイバーとを、前記端板の挿通孔を介して前記第１コネクターと第２コネクターとを、前記端板の肉厚内で連結したことを特徴とする光ファイバーを埋設した既製杭である。
【００１１】
また、前記において、光ファイバーは、一端及び他端を既製杭の上端から突出させ、前記既製杭の底付近の折り返し部を形成して略Ｕ字状に配置し、中間部の両直線部を既製杭の長さ方向に配置し、前記光ファイバーの直線部の一方に剛性管を被せたことを特徴とする光ファイバーを埋設した既製杭である。
【００１２】
また、既製杭は、ＰＣ鋼棒を係止する小孔と大孔とからなるひょうたん状の貫通孔を有する端板を使用し、前記大孔を挿通孔として光ファイバーのコネクターを取り付けたことを特徴とする光ファイバーを埋設した既製杭である。
【００１３】
更に、既製杭のひび割れ又は破壊状況に対応して、光ファイバーが断線するような強度で、前記光ファイバーの外周面を被覆したことを特徴とする光ファイバーを埋設した既製杭である。
【００１４】
前記における光ファイバーは、有害なひび割れ（約０．２ｍｍ〜０．５ｍｍ以上）又は破壊が生じた時に断線するようなものを選択する。
【００１５】
前記における光ファイバーの外周面の被覆とは、光ファイバーの外周面を塩化ビニル等の樹脂管、金属管で被覆すること、あるいは各種コーティング加工等で、適宜選択して被覆することによって、既製杭が所望のひび割れあるいは破壊が生じた際に、同時に光ファイバーが破断するように形成する。このように被覆することにより、適宜強度の光ファイバーを使用して、求める光ファイバーの強度、即ち有害なひび割れ等に対応して破断するような光ファイバーを形成できる。
【００１６】
例えば、既製杭が短期許容３００μ（歪み量）でひび割れが発生した際に、光ファイバーが同時に破断するように、光ファイバーを塩化ビニル管内に通して配置したり、また、既製杭の破壊２５００μ（歪み量）で既製杭が圧壊した際に、光ファイバーが同時に破断するように所定強度の金属管で被覆したりすることができる。
【００１７】
【発明の実施の形態】
各種施工方法で構築する基礎杭を構築し、基礎杭１７内には光ファイバー１０を挿通させる。このとき、光ファイバー１０は、基礎杭１７全長に用いてもよいし、基礎杭１７下部よりも比較的水平力が大きく作用する基礎杭１７上部にだけに適用してもよい。
【００１８】
基礎杭１７の上方にフーチング２２を構築すると共に、上部構造２４を構築する。光ファイバー１０の少なくとも一端１１は、基礎杭１７の上方に突出させて、フーチング２２の上面２３や柱の側面２５などの測定口２８に臨ませる（図６（ａ）（ｂ））。基礎杭１７の上方から測定口２８までの光ファイバー１０ａは鋼管２１等を被覆して保護する。
【００１９】
その後、地震等によって基礎杭１７の健全性を調査する必要が生じた場合、測定口２８の部分（図６（ａ）ではフーチング２２部分）まで掘り下げて、鋼管２１の蓋を開き、光ファイバー１０の端部１１を引き出して計測を行う。
【００２０】
光ファイバー１０の配線方法は、以下のように行う（図７〜図９）。配線は、通常は少なくとも直径対称な位置に２本を設けることが望ましく、基礎杭１７の強度に影響がない範囲で、多数本を埋設すれば、それだけ、ひび割れの状況を詳細に測定できる。
【００２１】
（１） 直線状（図７）
【００２２】
既製杭１７の肉厚内に光ファイバー１０を埋設して、一端１１を既製杭１７の上方に突出させて、測定口２８内に位置させ、他端１２を杭底１９付近に臨ませる（図７（ａ））。
【００２３】
建築物を構築後、点検する際には、測定口２８で測定装置２９から光ファイバー１０に入射光を発すれば、光ファイバー１０の下端１２で反射した光が、所定の時間後に測定装置２９で計測でき、ひび割れが生じていない健全な杭であることが確認できる（図７（ａ））。また、既製杭１７にひび割れ３０等が生じ、対応する光ファイバー１０の部分が断線すると、光を入射した際に断線点３２から反射が生じ、受信時間などからひび割れ３０の位置が分かる。杭１７を補修する場合には、測定したひび割れ３０位置まで地盤を掘削して、補修ができる。あるいは、種々の補強手段によって、基礎の修復を行う。
【００２４】
（２）Ｕ字状（図８）
【００２５】
既製杭１７の肉厚内に光ファイバー１０を埋設して、既製杭１７の底部１９付近で、折り返し部１３を形成し、折り返し部１３から両側に連続する直線部１１ａ、１２ａを並列させ、一端１１及び両端１２を既製杭１７の上方に突出させて、測定口２８内に臨ませる（図８（ａ））。
【００２６】
同様に、一端１１から光ファイバー１０に入射光を発し、それが他端１２の測定口２８の測定装置２９で受信できればひび割れが生じていない健全であることが確認できる（図８（ａ））。また、既製杭１７にひび割れ３０等が生じ、対応する光ファイバー１０の部分が断線すると、一端１１から入射した光は断線点３２から反射が生じ、同様に一端１１の測定装置２９で受信でき、受信時間などからひび割れ３０の位置が分かる。更に、他端１２から光ファイバー１０内に光を入射すれば、折り返し部１３を経由して、破断点３２ａで反射して、他端１２の測定装置２９で反射光を受信できる。一端１１及び他端１２での受信時間等を分析すれば破断点３２、３２ａ間の距離（即ち、ひび割れ３０の範囲Ｄ）が確認できる。
【００２７】
（３）Ｕ字状かつ一方の光ファイバーを鋼管に挿通（図９）
【００２８】
前記（２）のＵ字状の光ファイバー１０の一方の直線部１２を鋼管１６で被覆する（図９（ａ））。他の条件は前記（２）と同様である。
【００２９】
前記（２）で、光ファイバー１０の他端１２側でも、ひび割れ３１が生じている場合には、該ひび割れ３１により光ファイバー１０の他端１２側でも破断が生じる。従って、前記（２）のように一端１１側のひび割れ３０の範囲Ｄを、他端１２側から光を入射しても計測できない。本配線のように、他端１２側の直線部１２ａを鋼管１６で被覆すれば、該部１２ａで破断するおそれなく（ひび割れ３１が生じても）、ひび割れ３０の位置及び範囲Ｄが測定できる（図９（ｂ））。
【００３０】
【実施例１】
図１〜図５に基づきこの発明の既製杭１７の実施例を説明する。
【００３１】
（１）連結杭の場合
【００３２】
（ａ）連結杭の中杭１７ｂとして使用する場合
既製杭１７の上下両端部に取付けられる端板１、２に、光ファイバーの挿通孔４、４を等間隔に４つ設ける（図２（ａ））。前記光ファイバーの挿通孔４は、光ファイバー１０のコネクター１４、１５の形状に対応して、コネクター１４、１５を取付けられるように内面５に螺糸を形成（ねじ切り加工）しておく。
【００３３】
続いて、前記両端板１、２を配置し、両端板１、２間に、ＰＣ鋼棒６、６、螺旋状鉄筋（図示していない）を配置して鉄筋かごを形成して、該鉄筋かごに沿って長さ方向に光ファイバー１０、１０を配置して、既製杭１７製造用の型枠内に取り付ける。光ファイバー１０は、杭長に対応した長さで、一端部に凹コネクター１４、他端部に凸コネクター１５が取り付けられている。上側の杭端板１の挿通孔４、４に、凹コネクター１４を螺合して、固定する（図２（ｂ）（ｃ））。
同様に、下側の杭端板２の挿通孔４に、凸コネクター１５を螺合して、固定する（図４（ａ））。
【００３４】
前記配置した光ファイバー１０は、遠心成形した際に、杭の内面側（中空部側）露出しあるいは垂れ下がりが生じないように、できるだけ肉厚内に均等に配置されるように、適当な処置が必要である。例えば、光ファイバー１０をＰＣ鋼棒や螺旋鉄筋等に、鉄線等で巻き付け、あるいは接着剤で貼り付ける等の手段が考えられる。
【００３５】
続いて、通常の既製杭の製造と同様に、ＰＣ鋼棒６にストレスを導入して、型枠内にコンクリートを投入して、遠心成形を行い、所定の養生を施せば、この発明の既製杭１７ｂが完成する（図１（ａ））。
【００３６】
（ｂ）連結杭の下杭１７ｃとして使用する場合
前記中杭用の既製杭１７ｃにおいて、下端板２に光ファイバー１０の挿通孔４、４を形成しない。また、光ファイバー１０の下端に、凸コネクター１５を取り付けず、下端に反射する為の端部キャップ等の処理を施して、光ファイバー１０の下端を下端板２の上面に固定し、あるいは下端板２の上面付近に保持する。以下、同様に、型枠内にコンクリートを投入し遠心成形を行い、所定の養生を施せば、この発明の既製杭１７ｃが完成する（図１（ａ））。
【００３７】
ここで、下端板２に挿通孔４を形成しなかったのは、セメントミルク等を使用した基礎杭工法の場合に、杭沈設時に該セメントミルクが挿通孔内に入り込むことを防止する為であり、挿通孔４にパッキン等で浸入防止処置を施すのであれば、下端板２に挿通孔４を形成して、光ダイバーの他端を仮止めすることができる（図示していない）。
【００３８】
前記下杭１７ｃの実施例において、前記中杭１７ｂと同様の既製杭１７ｂを使用して、下端板２の凸コネクター１５、１５に、光を反射をするように適当な端部キャップを被せて、下杭１７ｃを構成することもできる（図示していない）。
【００３９】
また、光ファイバー１０をＵ字状に配線する場合には、一方の直線部１１ａに連続して下端板２の上面に沿って折り返し部１３を形成して、他方の直線部１２ａが連続する１本の光ファイバー１０を配置して、形成する（図示していない）。また、前記中杭１７ｂと同様の中杭１７ｂを使用し、下端板２の下面で、対応する凸コネクター１５、１５同志を連結して折り返し部１３として、既製杭１７ｃを構成することもできる（図示していない）。
【００４０】
（ｃ）連結杭の上杭１７ａとして使用する場合
前記中杭用の既製杭１７ｂにおいて、光ファイバー１０の上端板１に凹コネクター１４、１４を取り付けず、上端板１の挿通孔４、４から光ファイバー１０の上端部を突出させ、延ばしておく（光ファイバー１０ａ）。光ファイバー１０の上端部は、上端板１又は上端板１付近に、ずれないように保持する。以下、同様に、コンクリートを投入し遠心成形を行い、所定の養生を施せば、この発明の既製杭１７ａが完成する（図１（ａ））。
【００４１】
前記上杭１７ａの実施例において、前記中杭１７ｂと同様の既製杭１７ｂを使用して、上端板１の凹コネクター１４、１４に、他の光ファイバーを連結して、上端板１から上方に突出する光ファイバー１０ａを突出させて、上杭用の既製杭１７ａを構成することもできる（図示していない）。
【００４２】
（２）単杭の場合
【００４３】
前記上杭１７ａと同様に、既製杭１７の上端板１に、光ファイバーの挿通孔４、４を等間隔に４つ設ける（図２（ａ））。続いて、前記上端板１及び通常の下端板２を配置し、両端板１、２間にＰＣ鋼棒、らせん鉄筋（いずれも図示していない）を配置して鉄筋かごを形成し、該鉄筋かごに沿って長さ方向に光ファイバーを配置して、既製杭製造用の型枠に取り付ける。光ファイバー１０は、杭長に対応した長さで、上端部は、前記挿通孔４から上方に所定長さ突出させ（光ファイバー１０ａ）、光ファイバー１０下端１２に反射するような所定の端部処理を施し、下端板２の上面付近に保持する。
【００４４】
また、前記中杭１７ｂと同様に、前記配置した光ファイバー１０は、遠心成形した際に、杭の内面側（中空部側）露出しあるいは垂れ下がりが生じないように、できるだけ肉厚内に均等に配置されるように、適当な処置が施してある。
【００４５】
続いて、通常の既製杭の製造と同様に、ＰＣ鋼棒にストレスを導入して、型枠内にコンクリートを投入して、遠心成形を行い、所定の養生を施せば、この発明の既製杭１７が完成する（図５（ａ））。
【００４６】
前記単杭の既製杭１７の実施例において、前記中杭１７ｂと同様の既製杭１７ｂを使用して構成することもできる。即ち、下端板２の凸コネクター１５、１５に、光ファイバーが反射をするように適当な端部処理を施し、上端板１の凹コネクター１４、１４に、他の光ファイバーを連結して、上端板から上方に突出する光ファイバー１０ａを形成し、既製杭１７を構成することもできる。
【００４７】
また、光ファイバーをＵ字状に配線する場合には、一方の直線部１１ａに連続して下端板２に沿って折り返し部１３を形成し、他方の直線部１２ａが連続する１本の光ファイバー１０を配置して、形成する（図５（ｂ）（ｃ））。また、光ファイバーをＵ字状に配線する場合に、前記中杭１７ｂを使用し、下端板２の対応する凸コネクター１５、１５同志を連結して折り返し部１３として、既製杭１７を構成することもできる（図示していない）。
【００４８】
（３）他の実施例等
【００４９】
前記各既製杭１７ａ〜１７において、上端板１側に凹コネクター１４を固定し、下端板２側に凸コネクター１５を固定したが、逆に上端板１側に凸コネクター１５を固定し、下端板２側に凹コネクター１４を固定することもできる（図示していない）。
【００５０】
また、前記各既製杭１７ａ〜１７において、端板１、２の挿通孔４は、螺糸を形成したが、コネクター１４、１５の外観形状に応じて形成し、また、コネクター１４、１５は前記実施例に限らず、光ファイバー１０を連結できれば、構造は任意である（図示していない）。
【００５１】
また、前記各既製杭１７ａ〜１７において、端板１、２に別途に挿通孔４を穿設したが、ＰＣ鋼棒６係止用の小孔８と螺糸を形成した大孔９からなるひょうたん状の貫通孔７が形成されており、これを利用することもできる（図３（ａ））。即ち、ＰＣ鋼棒６を上端板１の大孔９に挿通し、端板１を回動して、ＰＣ鋼棒６を小孔８に係止した後（図３（ｂ））、大孔９に光ファイバー１０の凹コネクター１４を螺合して固定する（図３（ｃ））。同様に、光ファイバー１０の凸コネクター１５を下端板２の貫通孔７の大孔８に固定する（図示していない）。
【００５２】
また、本実施例の光ファイバー１０を埋設した既製杭１７ａ〜１７は、本発明の建造物構築後の杭の健全性評価方法に適用できると共に、埋設した光ファイバー１０を使用して、埋設前あるいは埋設中の既製杭１７ａ〜１７の健全性も同様の手順で評価できる（図示していない）。
【００５３】
【実施例２】
次に、前記既製杭１７ａ〜１７を使用した施工と、測定方法を説明する。
【００５４】
掘削手段を用いて掘削された杭穴２０に下杭１７ｃを挿入し、所定高さを残して中杭１７ｂを連結する。このとき、下杭１７ｃの光ファイバー１０の凹コネクター１４と中杭１７ｂの凸コネクター１５とが一致するように方向を定めて、下杭１７ｃと中杭１７ｂとを連結する（図４（ａ）（ｂ））。コネクター１４、１５の位置が分り易いように端板１、２にマーキング等の処置を施してもよい。このようにして重ねた下杭１７ｃと中杭１７ｂとを、端板１、２で溶接又は無溶接等の手段（ボルト・ナットや他のバンド類での固定等）を用いて連結する。
【００５５】
前記連結された杭１７ｃ、１７ｂを杭穴２０内に挿入し、再び所定高さを残して、中杭１７ｂに上杭１７ａを連結する。光ファイバー１０及び既製杭１７ａ、１７ｂの連結方法は前記と同様とする。こうして連結された既製杭１７を所定深度に埋設し、杭の埋設を完了する（図１（ａ）（ｂ））。
【００５６】
続いて、上杭１７ａの上端板１から上方に突出した光ファイバー１０ａ、１０ａに鋼管２１、２１を被せ、鋼管２１上部の開口部に蓋をして、鋼管２１内にコンクリートが入らないように、鋼管２１をフーチング用型枠内に保持して、コンクリートを流し込む。コンクリート固化後、脱型しフーチング２２を構築する。
以下、上部構造物（図示していない）を逐次構築し、建造物を構築する（図６）。前記において、フーチング２２の上面２３に突出した鋼管２１の上縁付近に光ファイバー１０の上端１１が位置し、該部を測定口２８とする（図６（ａ））。
【００５７】
その後、地震等によって基礎杭の健全性を調査する必要が生じた場合、地盤をフーチング２２の上面２３部分まで掘り下げて、鋼管２１の蓋を開き、光ファイバー１０の上端１１を引き出して、測定装置２９に接続して計測を行う（図７〜図９）。この方法を用いれば、フーチング２２を破壊せずに計測することができ、仮に基礎杭が健全であると評価された場合、埋め戻しの作業だけで済む。
【００５８】
前記実施例において、測定口２８はフーチング２２の上面２３としたが、鋼管２１をフーチング２２を貫通して更に上方に延ばして屈曲させ、測定口２８を上部構造の柱の側面２５に形成することもできる（図６（ｂ）左側の杭１７）。また、鋼管２１を、フーチング２２を貫通して地上に突出して、地下スラブ２６上に、マンホールのように、測定口２８を設置することもできる（図６（ｂ）右側の杭）。
【００５９】
また、前記実施例において、既製杭１７から突出した光ファイバー１０ａは、鋼管２１を挿通して測定口２８に臨ませたが、フーチング２２等を構築する際に、光ファイバー１０ａを保護できれば、他の金属管や樹脂管等の中空管を使用することもできる（図示していない）。
【００６０】
また、前記実施例において、継ぎ杭とした場合には、前記実施例１の基礎杭１７ａ、１７ｂ、１７ｃを使用して、端板１、２を使用して肉厚内で連結する。
【００６１】
また、前記実施例において、ファイバー付き基礎杭１７は、基礎杭１７全長に用いたが、基礎杭下部よりも比較的水平力が大きく作用する基礎杭上部にだけ用いることもできる。即ち、亀裂が生じ易い基礎杭１７上部のみに適用する場合には、上杭１７ａにのみファイバーが埋設された基礎杭１７ａを使用して、中杭及び下杭は通常の基礎杭を使用する。また、単杭１７を使用する場合で、直線状に光ファイバー１０を配線する場合には、光ファイバー１０の他端１２を杭の上部に位置させ、Ｕ字状に配線する場合には折り返し部１３を杭の上部に位置させる（いずれも図示していない）。
【００６２】
また、前記実施例において、既製杭１７ａ〜１７の埋設方法は、任意である。
【００６３】
また、前記実施例において、実施例１の既製杭１７ａ〜１７を使用したが、光ファイバー１０が杭の長さ方向に配置された基礎杭であれば、他の構造の基礎杭を使用することもできる（図示していない）。例えば、既製杭１７の外壁面又は内壁面（中空部）に光ファイバー１０を接着剤その他の手段で添着した構造の既製杭を使用することもできる（図示していない）。
【００６４】
また、前記実施例において、既製杭１７ａ〜１７を埋設して基礎杭を構築したが、いわゆる場所打ち杭に適用することもできる（図示していない）。この場合には、周囲に光ファイバー１０を保持した鉄筋かごを、杭穴２０内に埋設する。
【００６５】
【発明の効果】
予め杭に埋設した光ファイバーの一端又は両端を地上に露出させて測定口を形成したので、地震等が発生した後に、埋設された基礎杭の健全性を調査する場合、建物を構築後であっても、フーチング等を取り除いたり、掘下げ・埋戻しの必要がなく、容易に測定して健全性を評価できる効果がある。
【００６６】
また、光ファイバーの一端及び他端を地上に露出させて測定口を形成し、両測定口から測定すれば、Ｕ字状に埋設された光ファイバーにより両端の測定口から測定することにより有害なひび割れの範囲も含めてより正確な健全性が評価できる効果がある。
【００６７】
また、杭の上端から突出させた光ファイバーの部分を、保護管で被覆すれば、杭部分でのみ生じた破断を測定して評価できる効果がある。
【００６８】
また、この発明の既製杭を使用すれば、 光ファイバーを杭内に配置する際、杭の端面板付近のひび割れ等も測定できるようにしたため、杭全域の健全性の調査ができる効果がある。
【００６９】
また、光ファイバーを略Ｕ字状に配置した既製杭で、直線部の一方に剛性管を被せた場合には、剛性管により該部の光ファイバーが保護され破損することがないので、健全性の評価において、ひび割れの範囲をより正確に測定できる効果がある。
【００７０】
また、単位既製杭の端板の挿通孔にコネクターで光ファイバーの端部を取り付ければ、単位既製杭を接合する際に、端板内で上下の光ファイバーも合わせて接合できるので、 複数の杭を連結する場合、既製杭を連結する作業と同時に光ファイバーも接続でき、余計な手間・暇がかからず、施工が高められる効果がある。また、端板内で上下の単位既製杭の光ファイバーを接合でき、単位既製杭の外側や中空部に光ファイバーの接合部が露出せず、施工中の光ファイバーの破損を防止できる。
【００７１】
また、ひょうたん状の貫通孔を有する端板を使用し、前記大孔を挿通孔として使用すれば、光ファイバーのコネクター用の端板の挿通孔加工が不要となる効果がある。
【図面の簡単な説明】
【図１】この発明の実施例の既製杭で、連結杭とした場合であり、（ａ）が接合前、（ｂ）が接合後を表す。
【図２】同じく既製杭で、（ａ）は端板の拡大平面図、（ｂ）はコネクターを端板に取付ける前のＢ−Ｂ拡大縦断面図、（ｃ）は同じく取付後のＢ−Ｂ拡大縦断面図である。
【図３】同じく既製杭で、（ａ）他の端板の拡大平面図、（ｂ）はコネクターを端板に取付ける前のＣ−Ｃ拡大縦断面図、（ｃ）は同じく取付後のＣ−Ｃ拡大縦断面図である。
【図４】単位既製杭の接合を表す拡大縦断面図で、（ａ）は接合前、（ｂ）は接合後を表す。
【図５】この発明の他の実施例の既製杭で、単杭とした場合であり、（ａ）は光ファイバーを直線状に配置した例、（ｂ）は光ファイバーをＵ字状に配置した例、（ｃ）は（ｂ）のＡ−Ａ線における断面図を表す。
【図６】（ａ）（ｂ）は、この発明の既製杭を使用して建造物を構築した縦断面図である。
【図７】この発明の方法を説明する概略した斜視図で、（ａ）は健全状態、（ｂ）はひび割れ発生状態を夫々表す。
【図８】同じくこの発明の他の方法を説明する概略した斜視図で、（ａ）は健全状態、（ｂ）はひび割れ発生状態を夫々表す。
【図９】同じくこの発明の他の方法を説明する概略した斜視図で、（ａ）は健全状態、（ｂ）はひび割れ発生状態を夫々表す。
【符号の説明】
１      上端板
２      下端板
４      光ファイバーの挿通孔
６      ＰＣ鋼棒
７      貫通孔（ひょうたん状）
８      小孔
９      大穴（光ファイバーの挿通孔）
１０    光ファイバー
１０ａ  光ファイバーの上方突出部分
１１    光ファイバーの一端
１１ａ  光ファイバーの直線部（一端側）
１２    光ファイバーの他端
１２ａ  光ファイバーの直線部（他端側）
１３    光ファイバーの折り返し部
１４    凹コネクター
１５    凸コネクター
１６    鋼管（光ファイバー１２ａ）
１７    既製杭
１７ａ、１７ｂ、１７ｃ  既製杭
１８    既製杭の中空部
１９    既製杭の底部
２０    杭穴
２１    鋼管（光ファイバー１０ａ）
２２    フーチング
２３    フーチングの上面
２５    柱の側面
２６    地下スラブの上面
２８    測定口
２９    測定装置
３０、３１  ひび割れ
３２、３２ａ  破断点
【図１】
0004572285.tif 000002
【図２】
0004572285.tif 000003
【図３】
0004572285.tif 000004
【図４】
0004572285.tif 000005
【図５】
0004572285.tif 000006
【図６】
0004572285.tif 000007
【図７】
0004572285.tif 000008
【図８】
0004572285.tif 000009
【図９】
0004572285.tif 000010